(57)【特許請求の範囲】
【請求項１】
ゴルフクラブヘッドであって、
ヘッド本体、重量物及び固定用部材を含み、
前記ヘッド本体は、ヘッド仕上がり形状の外面から凹んだ凹部を有し、
前記重量物は、前記ヘッド本体及び前記固定用部材よりも大きい比重を有し、かつ、その少なくとも一部が前記凹部に配置されており、
前記固定用部材は、前記重量物の少なくとも一部をヘッド外方側から覆った状態で前記凹部に固定されており、
前記固定用部材には、開口部が前記外面に位置する貫通部が形成されており、
前記貫通部内に前記重量物の一部が配置されており、
前記貫通部の内周面は、ヘッド内方側の第１内周面と、ヘッド外方側の第２内周面とを含み、
前記貫通部内に配置された前記重量物の一部は、前記第２内周面との間に環状の空間が形成されていることを特徴とするゴルフクラブヘッド。
【請求項２】
比重に関して、前記ヘッド本体が最も小さく、前記重量物が最も大きく、前記固定用部材は、それらの間にある請求項１記載のゴルフクラブヘッド。
【請求項３】
前記固定用部材と前記ヘッド本体とが溶接で固着されており、
前記ヘッド本体と前記固定用部材との間の溶接性が、前記ヘッド本体と前記重量物との間の溶接性よりも優れている請求項１又は２記載のゴルフクラブヘッド。
【請求項４】
前記固定用部材の前記開口部は、ヘッド背面側に設けられている請求項１乃至３のいずれかに記載のゴルフクラブヘッド。
【請求項５】
前記固定用部材の前記開口部は、ソール側に設けられている請求項１乃至４のいずれかに記載のゴルフクラブヘッド。
【請求項６】
前記固定用部材の前記開口部は、トウ側及びヒール側のうちの少なくとも一方に設けられている請求項１乃至５のいずれかに記載のゴルフクラブヘッド。
【請求項７】
前記重量物は、トウ側又はヒール側に配置されている請求項１乃至６のいずれかに記載のゴルフクラブヘッド。
【請求項８】
前記重量物は、トウ側とヒール側とに分離して配置されている請求項１乃至６のいずれかに記載のゴルフクラブヘッド。
【請求項９】
前記固定用部材の前記貫通部内に配置された重量物の一部が、前記開口部から前記固定用部材の外側に突出している請求項１乃至８のいずれかに記載のゴルフクラブヘッド。
【請求項１０】
前記固定用部材の前記開口部は、ソール側でヘッド前後方向に沿ってのびており、
前記重量物は、前記開口部から前記固定用部材の外側に突出して、ヘッド前後方向にのびている請求項１乃至９のいずれかに記載のゴルフクラブヘッド。
【発明の詳細な説明】
【技術分野】
【０００１】
本発明は、重心設計の自由度を高めうるゴルフクラブヘッドに関する。
【背景技術】
【０００２】
下記特許文献１及び２には、ゴルフクラブヘッドが記載されている。これらのゴルフクラブヘッドは、ヘッド本体と、前記ヘッド本体に固着された重量体とを含んでいる。重量体は、相対的に比重が高い第１重量体と、それよりも比重が低い第２重量体とを含んでいる。
【０００３】
第１重量体は、高い比重を有するが、ヘッド本体に対して、低い溶接性を有する。一方、第２重量体は、第１重量体よりも低い比重を有するが、ヘッド本体に対する溶接性については、第１重量体よりも優れている。
【０００４】
下記特許文献１及び２では、予め第２重量体に第１重量体を固定した複合重量体を準備し、この複合重量体の第２重量体をヘッド本体に溶接で固定することを提案している。
【先行技術文献】
【特許文献】
【０００５】
【特許文献１】米国特許第８４４９４０５号明細書
【特許文献２】米国特許第９０１７１８６号明細書
【発明の概要】
【発明が解決しようとする課題】
【０００６】
しかしながら、上記特許文献のゴルフクラブヘッドは、生産性が悪化する傾向があった。また、第２重量物が第１重量物から外れやすく、耐久性においても改善の余地があった。
【０００７】
本発明は、以上のような問題点に鑑み案出なされたもので、耐久性や生産性を損なわずに、高い重心設計の自由度を具えたゴルフクラブヘッドを提供することを主たる課題としている。
【課題を解決するための手段】
【０００８】
本発明は、ゴルフクラブヘッドであって、ヘッド本体、重量物及び固定用部材を含み、前記ヘッド本体は、ヘッド仕上がり形状の外面から凹んだ凹部を有し、前記重量物は、前記ヘッド本体及び前記固定用部材よりも大きい比重を有し、かつ、その少なくとも一部が前記凹部に配置されており、前記固定用部材は、前記重量物の少なくとも一部をヘッド外方側から覆った状態で前記凹部に固定されており、前記固定用部材には、開口部が前記外面に位置する貫通部が形成されており、前記貫通部内に前記重量物の一部が配置されていることを特徴とする。
【０００９】
本発明の他の態様では、比重に関して、前記ヘッド本体が最も小さく、前記重量物が最も大きく、前記固定用部材は、それらの間にある。
【００１０】
本発明の他の態様では、前記固定用部材と前記ヘッド本体とが溶接で固着されており、前記ヘッド本体と前記固定用部材との間の溶接性が、前記ヘッド本体と前記重量物との間の溶接性よりも優れている。
【００１１】
本発明の他の態様では、前記固定用部材の前記開口部は、ヘッド背面側に設けられても良い。
【００１２】
本発明の他の態様では、前記固定用部材の前記開口部は、ソール側に設けられても良い。
【００１３】
本発明の他の態様では、前記固定用部材の前記開口部は、トウ側及びヒール側のうちの少なくとも一方に設けられても良い。
【００１４】
本発明の他の態様では、前記重量物は、トウ側又はヒール側に配置されても良い。
【００１５】
本発明の他の態様では、前記重量物は、トウ側とヒール側とに分離して配置されても良い。
【００１６】
本発明の他の態様では、前記固定用部材の前記貫通部内に配置された重量物の一部が、前記開口部から前記固定用部材の外側に突出しても良い。
【００１７】
本発明の他の態様では、前記固定用部材の前記開口部は、ソール側でヘッド前後方向に沿ってのびており、前記重量物は、前記開口部から前記固定用部材の外側に突出して、ヘッド前後方向にのびても良い。
【発明の効果】
【００１８】
本発明によれば、固定用部材は、重量物の少なくとも一部をヘッド外方側から覆った状態でヘッド本体の凹部に固定されている。従って、重量物の固定が容易であり、生産性に優れる。
【００１９】
また、重量物の一部は、固定用部材でヘッド外方側から覆われているので、重量物がヘッド本体から外れ難い。従って、ヘッドの耐久性が向上する。
【００２０】
さらに、本発明によれば、固定用部材には、ヘッド仕上がり形状の外面に開口部が位置する貫通部が形成されており、この貫通部内に重量物の一部が配置されている。従って、ヘッド重心を、上記開口部側に近づけることが可能になる。従って、開口部の位置が所望の位置に設けられることで、ヘッドの重心設計の自由度が向上する。
【図面の簡単な説明】
【００２１】
【図１】本発明の一実施形態のゴルフクラブヘッドの正面図である。
【図２】図１のゴルフクラブヘッドの背面図である。
【図３】（Ａ）〜（Ｃ）は、図２のゴルフクラブヘッドのＡ−Ａ線、Ｂ−Ｂ線及びＣ−Ｃ線の各位置の基準状態の断面図である。
【図４】本実施形態のゴルフクラブヘッドの分解斜視図である。
【図５】図３（Ｂ）の部分拡大図である。
【図６】本発明の他の実施形態のゴルフクラブヘッドの縦断面図である。
【図７】本発明の他の実施形態のゴルフクラブヘッドの背面図である。
【図８】本発明の他の実施形態のゴルフクラブヘッドの背面図である。
【図９】本発明の他の実施形態のゴルフクラブヘッドの背面図である。
【図１０】図９のＡ−Ａ線の位置の基準状態の断面図である。
【図１１】本発明の他の実施形態のゴルフクラブヘッドの背面図である。
【図１２】（Ａ）及び（Ｂ）は、図１１のＡ−Ａ線及びＢ−Ｂ線の位置の基準状態の断面図である。
【図１３】本発明の他の実施形態のゴルフクラブヘッドの背面図である。
【図１４】ゴルフクラブヘッドの基準状態を説明するためのゴルフクラブヘッドの概略斜視図である。
【発明を実施するための形態】
【００２２】
以下、本発明の実施の一形態が図面に基づき説明される。
図１及び２は、本実施形態のゴルフクラブヘッド１の正面図及び背面図をそれぞれ示している。図３（Ａ）〜（Ｃ）は、図２のＡ−Ａ線、Ｂ−Ｂ線及びＣ−Ｃ線の各位置での断面図をそれぞれ示している。図４は、図１のゴルフクラブヘッド１の分解斜視図が示されている。図１〜４において、本実施形態では、アイアン型のゴルフクラブヘッド１が示されている。本発明は、アイアン型以外にも、ウッド型、ユーティリティ型及びパター型のゴルフクラブヘッドに適用することができる。
【００２３】
本実施形態のゴルフクラブヘッド１において、「基準状態」とは、図１４に概念的に示されるように、フェース２に形成されたスコアライン７と水平面ＨＰとが平行とされた状態で、ヘッド１が水平面ＨＰ上に載置された状態である。この基準状態では、ヘッド１のシャフト差込穴８の中心軸線Ｚ（クラブシャフトの軸線Ｚ）が基準垂直面ＶＰ内に配されている。基準垂直面ＶＰは、水平面ＨＰに対して垂直な平面である。この基準状態において、スコアライン７は、水平面ＨＰに平行であり、かつ、基準垂直面ＶＰに平行である。
【００２４】
図１及び図２において、ゴルフクラブヘッド１は、基準状態にあるヘッド１を基準水平軸（水平面ＨＰに平行でかつ基準垂直面ＶＰに平行な軸）周りに回転させ、基準垂直面ＶＰにフェース２が平行になるようにヘッド１を基準状態から前に傾けた状態とされている。以下、この状態を「前傾状態」と呼ぶ。
【００２５】
一方、図３では、図２のゴルフクラブヘッド１のＡ−Ａ線、Ｂ−Ｂ線及びＣ−Ｃ線の位置の基準状態での各断面図が示されている。特に言及されていない場合、ゴルフクラブヘッド１は、基準状態に置かれているものとして、説明されていることが理解されなければならない。
【００２６】
ここで、ゴルフクラブヘッド１の「前」とは、図１４にも示されるように、ボールを打撃するフェース２の側を意味し、ゴルフクラブヘッド１の「後」とは、その反対側を意味する。ゴルフ業界の慣習に鑑み、ゴルフクラブヘッドの「後」及び「後面」は、「背」及び「背面」とそれぞれ呼ばれることがある。
【００２７】
本実施形態のゴルフクラブヘッド１は、典型的なアイアン型の形状を有し、フェース２、トップ３、ソール４、トウ５及びホーゼル６を含んでいる。
【００２８】
フェース２は、ボールを打撃する実質的に平坦な面である。フェース２には、ボールとの摩擦を高めるために、例えば、スコアライン７等のインパクトエリアマーキングが設けられても良い。
【００２９】
トップ３は、フェース２の上縁から後方にのびているヘッド１の上面部分である。ゴルフクラブヘッド１の「上」とは、相対的に、上記水平面ＨＰから離れる方向又は離れた位置として、定義される。逆に、ゴルフクラブヘッド１の「下」とは、相対的に、上記水平面ＨＰに近づく方向又は近い位置として、定義される。ゴルフ業界の慣習に鑑み、ゴルフクラブヘッドの「下面」は、「底面」と呼ばれることもある。
【００３０】
ソール４は、フェース２の下縁から後方にのびているヘッド１の底面部分である。トウ５は、ホーゼル６から最も離れた部分であり、トップ３とソール４との間を滑らかに接続している。
【００３１】
ホーゼル６は、クラブシャフト（図示省略）が連結されるためのシャフト差込穴８を有する部分であり、例えば筒状に構成されている。シャフト差込穴８の中心軸線Ｚは、クラブシャフトの軸線に一致している。
【００３２】
本実施形態のゴルフクラブヘッド１は、図３及び図４に示されるように、ヘッド本体１０、重量物２０及び固定用部材３０を含んで構成されている。
【００３３】
ヘッド本体１０は、ゴルフクラブヘッド１の主要部を構成するもので、本実施形態では、フェース２、トップ３、ソール４、トウ５及びホーゼル６を含んでいる。ヘッド本体１０は、例えば、金属材料で構成されている。
【００３４】
好ましい態様では、ヘッド本体は、図４に示されるように、フェースプレート１２と、フェース受け部１４とを含む。フェースプレート１２及びフェース受け部１４とは、互いに異なる金属材料で構成されている。
【００３５】
フェースプレート１２は、例えば、ゴルフクラブヘッド１を構成する金属材料の中で最も小さい比重を有する金属材料で構成されている。特に好ましい態様では、フェースプレート１２には、比重が４．５以下の比強度に優れたチタン合金が採用され得る。これにより、ヘッド重心は、より後方にかつより下方に位置することが可能である。
【００３６】
フェース受け部１４は、トップ３、ソール４及びトウ５で囲まれた前後に貫通する開口部Ｏを有している。フェース受け部１４は、開口部Ｏの周りに、フェースプレート１２の周縁部が固着されるフェース取付部１６が設けられている。フェース取付部１６にフェースプレート１２が固着されることにより、開口部Ｏは閉じられる。フェースプレート１２とフェース受け部１４とは、例えば、溶接、ろう付け、接着剤又はカシメ等の接合手段によって一体に固着される。フェース受け部１４は、さらに、ホーゼル６を一体に具えている。
【００３７】
好ましい態様では、フェース受け部１４は、基本的な強度と良好な加工性などを具えている鉄基合金が採用され、好ましくはステンレス又は炭素鋼などが用いられる。これらの比重は、７．０を超えるもので、好ましくは、７．５以上とされる。このように、フェース受け部１４が、フェースプレート１２よりも高い比重の金属材料で構成された場合、ヘッド重心は、より後方にかつより下方に位置することが可能である。代替的に、本発明の他の態様では、ヘッド本体１０は、１種類又は３種類以上の材料で構成されても良い。
【００３８】
１種類の材料で構成されたヘッド本体１０は、典型的には、フェースプレート１２とフェース受け部１４とが別部材ではなく、これらが一体的に一つの部材で作られた１ピース構造のヘッド本体１０である。他の例として、例えば、同一の材料からなるフェースプレート１２及びフェース受け部１４が一体に固着されたマルチピース構造であっても良い。また、３種類以上の材料で構成されたヘッド本体１０としては、例えば、フェース受け部１４を２以上の部材で構成し、フェースプレート１２と一体に固着したマルチピース構造が挙げられる。この場合、３種類以上の材料を用いて、フェースプレート１２及びフェース受け部１４を構成する各部材を、互いに異なる材料で形成する。
【００３９】
図３及び図４に示されるように、ヘッド本体１０は、ヘッド仕上がり形状の外面から凹んだ凹部１８を有する。凹部１８には、上述の重量物２０及び固定用部材３０がそれぞれ配置されることで、ヘッドの仕上がり形状が得られる。換言すれば、凹部１８は、ヘッド仕上がり形状から、重量物２０及び固定用部材３０を取り除いた部分（空間）として定義される。
【００４０】
本実施形態の凹部１８は、例えば、フェース２以外の位置に設けられている。フェース２の一部がフェースプレート１２で構成されている場合、凹部１８は、フェースプレート１２以外に設けられている。本実施形態の凹部１８は、ソール４側（より詳しくは、フェース受け部１４のソール）に設けられている。
【００４１】
図３（Ｂ）及び（Ｃ）によく示されるように、凹部１８は、例えば、第１の面Ｐ１と、第１の面Ｐ１と交わる第２の面Ｐ２とで定義されている。第１の面Ｐ１は、例えば、ソール４から上に向かってのびている。第２の面Ｐ２は、例えば、ヘッド背面９から前側にのびている。第１の面Ｐ１と第２の面Ｐ２とは、互いに交差し、断面略Ｌ字状の凹部表面を形成している。
【００４２】
第１の面Ｐ１及び第２の面Ｐ２は、それぞれ、トウ・ヒール方向にのびるものが望ましい。これにより、ヘッド１のソール４側に、トウ・ヒール方向に沿って大きな凹部１８が形成され得る。本実施形態では、第１の面Ｐ１及び第２の面Ｐ２は、それぞれ実質的に平面で構成されている。また、第１の面Ｐ１は、例えば、フェース２に略沿った平面であり、第２の面Ｐ２は、水平面ＨＰに略沿った平面である。
【００４３】
重量物２０は、ヘッド本体１０及び上記固定用部材３０よりも大きい比重を有する金属材料で形成されている。このような重量物２０は、ヘッド重心の位置に大きな影響を持ち、重量物２０の重心位置に、ヘッド重心を近づけることが可能である。
【００４４】
ここで、ヘッド本体１０が、１種類の材料から構成されている場合、ヘッド本体１０の比重は当該材料の比重を意味する。一方、ヘッド本体１０が複数種類の材料で構成されている場合、ヘッド本体１０の比重は、各材料の比重を、各材料が構成している部材の体積で重み付けした加重平均値として特定される。
【００４５】
特に好ましい態様では、重量物２０は、Ｗ、Ｎｉ及びＦｅを含むタングステン・ニッケル・鉄合金で構成され得る。このような合金は、主として、高比重のＷの添加量によってより高い比重を持つように構成される。より好ましくは、重量物２０の比重は、１０以上、より好ましくは１２〜１８．５の範囲が好適である。上記合金は、例えば、合金の化学成分中、Ｆｅに対するＷの割合を高めることによって、大きな比重を得ることができる。一方、このような高比重化された重量物２０は、相対的にＦｅの割合が低下するので、軟鉄やステンレス等の鉄基合金に対する溶接性が低下する。
【００４６】
重量物２０は、その少なくとも一部が、ヘッド本体１０の凹部１８に配置されている。即ち、重量物２０の一部が、凹部１８の中に位置している。本実施形態において、重量物２０の一部は、凹部１８を定義するヘッド本体１０側の表面（第１の面Ｐ１及び第２の面Ｐ２）の一部と接触している。好ましい態様では、重量物２０は、第１の面Ｐ１及び第２の面Ｐ２の双方に接触することができるように、２つの当接面Ｔ１及びＴ２を含んでいる。これにより、ヘッド本体１０に対して、重量物２０の位置が安定する。
【００４７】
上記固定用部材３０は、重量物２０の少なくとも一部をヘッド外方側から覆った状態で凹部１８に固定されている。本実施形態の固定用部材３０は、重量物２０のヘッド外方側の面Ｔ３と実質的に一致する内側形状を含んでいる。これにより、ヘッド本体１０に固定用部材３０が固着されると、ヘッド本体１０と固定用部材３０との間で重量物２０の動きが拘束され、ひいては、重量物２０の位置が一義的に決定される。換言すれば、本実施形態のゴルフクラブヘッド１において、重量物２０は、ヘッド本体１０に固定用部材３０を固着することだけで、ヘッド本体１０に対して固定される。この態様において、重量物２０は、ヘッド本体１０に直接固着される必要はないし、上記先行技術で示した特許文献１乃至２のように、重量物２０が予め固定用部材３０に固着される必要もない。
【００４８】
従って、本実施形態のゴルフクラブヘッド１は、製造が容易であり、優れた生産性を提供できる。また、重量物２０の一部は、固定用部材３０でヘッド外方側から覆われているので、重量物２０がヘッド本体１０から外れ難く、優れた耐久性も得られる。
【００４９】
本実施形態の固定用部材３０には、貫通部３２が形成されている。貫通部３２は、固定用部材３０を貫通する空間であって、その一方の端部は、ヘッド仕上がり形状の外面に連通する開口部３４とされている。換言すれば、開口部３４はヘッド仕上がり形状の外面に位置している。貫通部３２のもう一方の端部は、凹部１８の内部側で開口している。そして、貫通部３２内には、重量物２０の一部が配置されている。このようなゴルフクラブヘッド１によれば、ヘッド重心を、貫通部３２の上記開口部３４側に近づけることが可能になる。従って、固定用部材３０の開口部３４が、所望の位置に設けられることで、ゴルフクラブヘッド１の重心設計の自由度が向上する。
【００５０】
本発明において、貫通部３２及び開口部３４の形状は、特に限定されるものではなく、あらゆる形状が採用され得る。本実施形態の貫通部３２及び開口部３４は、上下方向よりもトウ・ヒール方向に長い横長状に形成されている。また、貫通部３２は、一定の横断面形状でヘッド内外にのびるものでも良いし、横断面形状が変化するものでも良い。
【００５１】
図５には、図３（Ｂ）の部分拡大図が示されている。図５に示されるように、貫通部３２の横断面形状は、ヘッド外方に向かって大きくなっている。この実施形態では、貫通部３２の内周面４０が、ヘッド内方側の第１内周面３６と、ヘッド外方側の第２内周面３８とを含んでいる。この第２内周面３８の横断面形状が、第１内周面３６の横断面形状よりも大きくなっている。言い換えると、貫通部３２において第２内周面３８で取り囲まれた部分の横断面形状は、第１内周面３６で取り囲まれた部分の横断面形状よりも大きい。第１内周面３６と第２内周面３８とは、例えば、段差を有して接続されている。
【００５２】
本実施形態の重量物２０は、固定用部材３０で覆われている主部２２と、主部２２から突出して貫通部３２内に配置されている突部２４とを含んでいる。
【００５３】
好ましい態様では、突部２４は、貫通部３２の第１内周面３６と接触して位置決めされる第１の表面２４ａを有する。このような態様では、突部２４の第１の表面２４ａと貫通部３２の第１内周面３６との接触によって、重量物２０がより確実にヘッド本体１０に固定され得る。従って、耐久性が高く、また、ボール打撃時、重量物２０のがたつきなども防止できる。
【００５４】
本実施形態において、突部２４の第１の表面２４ａは、貫通部３２の第１内周面３６に沿って周方向に連続的に接触している。即ち、両者の接触面が、環状に連続している。これにより、重量物２０は（ヘッド本体１０に直接的に固着されていないが）、より確実に、ヘッド本体１０に固定され得る。また、上述の効果を高めるために、第１の表面２４ａは、本実施形態のように、突部２４のヘッド内方側に設けられるのが望ましい。
【００５５】
好ましい態様では、突部２４は、さらに、第２の表面２４ｂを有する。第２の表面２４ｂは、貫通部３２の内周面４０とは接触しない。本実施形態では、重量物２０の突部２４の第２の表面２４ｂと、貫通部３２の第２内周面３８との間には、環状の空間が形成されている。このような空間は、重量物２０の突部２４が、固定用部材３０の貫通部３２に嵌め込まれる際の作業性を向上させ、生産性を高めるのに役立つ。
【００５６】
本実施形態のゴルフクラブヘッド１において、重量物２０の突部２４は、固定用部材３０の開口部３４を外側に越えない位置（即ち、開口部３４のエッジで確定される仮想開口面を外側に超えない位置）で終端している。これにより、ヘッド背面９等の研磨作業時、突部２４が邪魔にならないので、効率よく研磨作業が行える。一方、本発明の他の態様では、図６に示されるように、重量物２０の突部２４は、固定用部材３０の開口部３４の外側に突出することができる。この実施形態では、突部２４は、開口部３４を超えてヘッド後方にのびている。このような実施形態では、ソール４側かつヘッド後方により多くの重量を配分することができるので、低くかつ深いヘッド重心を提供することができる。
【００５７】
本実施形態の固定用部材３０も、重量物２０と同様に、例えば、Ｗ、Ｎｉ及びＦｅを含むタングステン・ニッケル・鉄合金で構成される。これにより、固定用部材３０の比重の調整も、比較的簡単である。さらに好ましい態様では、固定用部材３０は、重量物２０よりもＷの割合が少なく、かつ、Ｆｅの割合が多い化学成分を有する。これにより、固定用部材３０は、重量物２０に比べれば、低い比重を有する。好ましい態様では、固定用部材３０比重は、８〜１０の範囲が望ましい。従って、本実施形態のゴルフクラブヘッド１は、比重に関して、ヘッド本体１０が最も小さく、重量物２０が最も大きく、固定用部材３０は、それらの間である。これにより、本実施形態のゴルフクラブヘッド１は、重量物２０のみならず、固定用部材３０の重量も、ゴルフクラブヘッド１の重心設計に利用することができる。
【００５８】
また、本実施形態の固定用部材３０は、重量物２０よりもＷの割合が少なく、かつ、Ｆｅの割合が多い化学成分を有するので、鉄基合金からなるヘッド本体１０への溶接性（溶接継手の接合強度）において優れる。従って、固定用部材３０は、例えば、ヘッド本体１０に容易に溶接で固着され得る。
【００５９】
図１〜６の実施形態において、固定用部材３０の開口部３４は、ヘッド背面９側に設けられている。従って、重量物２０は、固定用部材３０で大部分が覆われつつ、貫通部３２を通ってヘッド背面９側に位置することができる。このようなゴルフクラブヘッド１は、より後方に位置するヘッド重心を提供することができる。
【００６０】
図７以降において、本発明の他の実施形態が説明されるが、先の実施形態と同一又は対応する要素については、同一の符号が付されており、詳細な説明は省略される点に留意すべきである。
【００６１】
図７には、本発明の他の実施形態として、前傾状態のゴルフクラブヘッド１の背面図が示されている。この実施形態では、固定用部材３０の開口部３４が複数設けられているとともに、重量物２０の突部２４も複数設けられている。そして、この実施形態では、突部２４及び開口部３４は、いずれも、ヘッドトウ側及びヘッドヒール側に分離して設けられている。この実施形態では、ゴルフクラブヘッド１のトウ側及びヒール側それぞれの後方に、より多くの重量を配分することができる。従って、深い重心を提供しながら、ヘッド重心を通る垂直軸周りの慣性モーメントを大きくすることができる。
【００６２】
図８には、本発明のさらに他の実施形態として、前傾状態のゴルフクラブヘッド１の背面図が示されている。この実施形態では、図７に示した実施形態を基調としているが、重量物２０が、トウ側の重量物２０Ａとヒール側の重量物２０Ｂとに、分離している。この実施形態においては、ゴルフクラブヘッド１のトウ側及びヒール側それぞれの後方に、より多くの重量を集中的に配分することができる。従って、深い重心を提供しながら、ヘッド重心を通る垂直軸周りの慣性モーメントを大きくすることができる。なお、図８の実施形態では、一つの固定用部材３０で、トウ側の重量物２０Ａ及びヒール側の重量物２０Ｂを固定しているが、固定用部材３０も、トウ側及びヒール側に分離するものでも良い（図示省略）。
【００６３】
図９及び図１０には、本発明のさらに他の実施形態が示されている。図９は、この実施形態のゴルフクラブヘッド１の前傾状態の背面図であり、図１０は、そのＡ−Ａ線の位置の基準状態の断面図である。図９及び図１０から明らかなように、この実施形態では、固定用部材３０の貫通部３２及び開口部３４は、ソール４に設けられている。即ち、貫通部３２は、ヘッドの上下方向にのびている。また、重量物２０の突部２４は、ヘッドの下方にのび前記貫通部３２内に配置されている。このような実施形態では、ソール４に、ヘッド本体と溶接できないような高比重の重量物の一部分を配置することができるので、より低いヘッド重心を得ることができる。
【００６４】
図１１及び図１２には、本発明のさらに他の実施形態が示されている。図１１は、この実施形態のゴルフクラブヘッド１の前傾状態の背面図であり、図１２（Ａ）及び（Ｂ）は、そのＡ−Ａ線及びＢ−Ｂ線の位置の基準状態の断面図である。図１１及び図１２から明らかなように、この実施形態では、固定用部材３０の開口部３４は、ソール４において、ヘッド前後方向に沿ってのびている。この実施形態では、ソール４のトウ側及びヒール側に、それぞれ上記開口部３４が分離して設けられている。また、重量物２０の突部２４は、開口部３４から固定用部材３０の外側に突出して、ヘッド前後方向にのびている。このような重量物２０は、ゴルフクラブヘッド１のより底部に重量物を配置して、さらに低いヘッド重心を提供する。また、開口部３４から突出する突部２４は、スイング時、ソール４が地面に接触した際のガイドとして機能し、ソール４を地面に対してスムーズに滑らせることができる。
【００６５】
図１３は、本発明のさらに他の実施形態として、前傾状態のゴルフクラブヘッド１の背面図が示されている。この実施形態では、固定用部材３０の開口部３４は、ゴルフクラブヘッド１のソール４及びヘッド背面９を跨るようにのびている。この実施形態では、ヘッド背面９側及びソール側に重量をバランスよく配分することができる。
【００６６】
以上、本発明の実施形態が、種々説明されたが、本発明は、上記の実施形態に限定されるものではなく、種々の態様に変形することができる。特に、異なる実施形態間において、それぞれの特徴部分を互いに置換することや、転用することが可能であることは言うまでもない。
【符号の説明】
【００６７】
１  ゴルフクラブヘッド
１０  ヘッド本体
１８  凹部
２０、２０Ａ、２０Ｂ  重量物
３０  固定用部材
３２  貫通部
３４  開口部
【図１】
0006728942.tif 000002
【図２】
0006728942.tif 000003
【図３】
0006728942.tif 000004
【図４】
0006728942.tif 000005
【図５】
0006728942.tif 000006
【図６】
0006728942.tif 000007
【図７】
0006728942.tif 000008
【図８】
0006728942.tif 000009
【図９】
0006728942.tif 000010
【図１０】
0006728942.tif 000011
【図１１】
0006728942.tif 000012
【図１２】
0006728942.tif 000013
【図１３】
0006728942.tif 000014
【図１４】
0006728942.tif 000015